(57)【特許請求の範囲】
【請求項１】
第１の筐体と、
第２の筐体と、
前記第１の筐体と前記第２の筐体とを平面方向に沿って相対移動可能に連結する連結機構と、
前記第１の筐体に実装される回路と前記第２の筐体に実装される回路とを電気的に接続する配線部材と、を備える携帯電子機器であって、
前記第１の筐体と前記第２の筐体とは、前記連結機構による相対移動により、前記第１の筐体と前記第２の筐体とが前記平面方向と直交する厚さ方向に重ね合わされた閉状態と、前記閉状態から前記第１の筐体又は前記第２の筐体のいずれか一方を前記平面方向に相対移動させた開状態と、に遷移可能であり、
前記配線部材は、
一端側が前記第１の筐体における前記第２の筐体と対向する側において保持され、他端側が前記第２の筐体における前記第１の筐体と対向する側において保持されると共に、前記閉状態のときには前記第１の筐体と前記第２の筐体との間で前記平面方向において、Ｓ字状に折り返した状態で配置されることを特徴とする携帯電子機器。
【請求項２】
前記第１の筐体と前記第２の筐体とは、それぞれの間において前記配線部材を収納可能な所定の収納部が形成されるように構成されており、
前記配線部材は、前記収納部において前記平面方向に撓むように配置される請求項１に記載の携帯電子機器。
【請求項３】
前記配線部材は、
前記一端側が前記第１の筐体において、前記収納部の前記平面方向に沿うように保持され、
前記他端側が前記第２の筐体において、前記収納部の前記平面方向に沿うように保持される請求項２に記載の携帯電子機器。
【請求項４】
前記配線部材は、
前記一端側が、前記第１の筐体又は前記第２の筐体の相対移動方向と直交する方向における一方端側において前記第１の筐体に保持されており、
前記他端側は、前記第１の筐体又は前記第２の筐体の相対移動方向と直交する方向における他方端側において前記第２の筐体に保持される請求項１から３のいずれか１項に記載の携帯電子機器。
【請求項５】
前記配線部材は、同軸ケーブルと、前記同軸ケーブルの周域を被覆する弾性部材とを有して構成される請求項１から４のいずれか１項に記載の携帯電子機器。
【発明の詳細な説明】
【技術分野】
【０００１】
本発明は、携帯電話機や簡易型携帯電話機等の移動通信機、或いはＰＤＡ（Ｐｅｒｓｏｎａｌ  Ｄｉｇｉｔａｌ  Ａｓｓｉｓｔａｎｔｓ）といった携帯電子機器に関する。特には、スライド可能に構成された携帯電子機器の構造に関する。
【背景技術】
【０００２】
近年、携帯電子機器の１つである携帯電話機には、表示部と操作部とが一の筐体に形成される一体型の携帯電話機（いわゆる、ストレートタイプ）のほか、液晶表示画面を拡大させるために、表示部と操作部とを構成する筐体をそれぞれ別々に形成し、それらを折り畳み可能に連結させた折り畳み式のものや、スライド自在に連結させたスライド式のものが種々提案されている。
【０００３】
例えば、スライド式の携帯電話機においては、操作部を有する操作部側筐体に対し、表示部を有する表示部側筐体を所定方向にスライド移動可能とすることにより、使用時においては、両筐体が互いに離間するように伸展させて所定の大きさで使用可能となると共に、不使用時においては、両筐体が重なるように移動させておくことによりコンパクトに携帯することが可能になる。
【０００４】
ところで、このように構成されたスライド式の携帯電話機は、表示部側筐体と操作部側筐体とが別体として構成されていることより、それぞれの回路基板に実装される電子回路を電気的に接続させる必要があった。そして、この電気的な接続は、一般に、ＦＰＣ（Ｆｌｅｘｉｂｌｅ  Ｐｒｉｎｔｅｄ  Ｃｉｒｃｕｉｔ）を用いることにより行われていた（例えば、特許文献１参照）。
【特許文献１】特開２００６−１５７４６５号公報
【発明の開示】
【発明が解決しようとする課題】
【０００５】
ここで、特許文献１に記載のスライド式の携帯電話機のように操作部側筐体と表示部側筐体とをスライド可能に構成させるためには、各筐体の移動量に応じてＦＰＣを所定量撓ませておく、いわゆる遊びを設ける必要がある。しかしながら、ＦＰＣは帯状に形成されているため、この遊びを設けるためには、ＦＰＣを厚さ方向に積層するようにして撓ませておくことしかできなかった。これにより、撓ませたＦＰＣを収納するＦＰＣ収納部も厚さ方向に厚いものとなってしまい、筐体の薄型化が困難となるという問題があった。
【０００６】
本発明は、筐体の薄型化を可能とした携帯電子機器を提供することを目的とする。
【課題を解決するための手段】
【０００７】
本発明の携帯電子機器は、表示部を有する第１の筐体と、操作部を有する第２の筐体と、前記第１の筐体と前記第２の筐体とを平面方向に沿って相対移動可能に連結する連結機構と、前記第１の筐体に実装される回路と前記第２の筐体に実装される回路とを電気的に接続する配線部材と、を備え、前記第１の筐体と前記第２の筐体とは、前記連結機構による相対移動により、前記第１の筐体と前記第２の筐体とが前記平面方向と直交する厚さ方向に重ね合わされた閉状態と、前記閉状態から前記第１の筐体又は前記第２の筐体のいずれか一方を前記平面方向に相対移動させた開状態と、に遷移可能であり、前記配線部材は、一端側が前記第１の筐体における前記第２の筐体と対向する側において保持され、他端側が前記第２の筐体における前記第１の筐体と対向する側において保持されると共に、前記閉状態のときには前記第１の筐体と前記第２の筐体との間で前記平面方向において、Ｓ字状に折り返した状態で配置されることを特徴とする。
【０００８】
また、携帯電子機器は、前記第１の筐体と前記第２の筐体とが、それぞれの間において前記配線部材を収納可能な所定の収納部が形成されるように構成されており、前記配線部材は、前記収納部において前記平面方向に撓むように配置されることが好ましい。
【０００９】
また、携帯電子機器は、前記配線部材の前記一端側が前記第１の筐体において、前記収納部の前記平面方向に沿うように保持され、前記他端側が前記第２の筐体において、前記収納部の前記平面方向に沿うように保持されることが好ましい。
【００１０】
また、携帯電子機器は、前記配線部材の前記一端側が、前記第１の筐体又は前記第２の筐体の相対移動方向と直交する方向における一方端側において前記第１の筐体に保持されており、前記他端側は、前記第１の筐体又は前記第２の筐体の相対移動方向と直交する方向における他方端側において前記第２の筐体に保持され好ましい。
【００１１】
また、携帯電子機器は、前記配線部材が同軸ケーブルと、前記同軸ケーブルの周域を被覆する弾性部材とを有して構成されることが好ましい。
【発明の効果】
【００１２】
本発明によれば、筐体の薄型化を可能とした携帯電子機器を提供することができる。
【発明を実施するための最良の形態】
【００１３】
以下、図面を参照して本発明を実施するための最良の形態を説明する。なお、以下、携帯電子機器として携帯電話機１について説明するが、本発明はこれに限定されるものではない。例えば、ＰＨＳ（登録商標：Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置等であってもよい。
【００１４】
図１は、本発明に係る携帯電子機器の一例である携帯電話機１の閉状態を示す正面図である。図２は、図１の側面図である。図３は、図１のＡ−Ａ断面を示す模式図である。図４は、本実施形態に係る携帯電話機１の開状態を示す正面図である。図５は、図４の側面図である。図６は、図４のＣ−Ｃ断面を示す模式図である。図７は、操作部側筐体における同軸ケーブルの保持状態を示す部分拡大図である。図８は、図１のＢ−Ｂ断面を示す模式図である。図９は、操作部側筐体をフロントケース側から見た背面図である。図１０は、表示部側筐体をリアケース側から見た背面図である。図１１は、携帯電話機１の機能を示す機能ブロック図である。図１２は、配線ケーブルの断面図である。
【００１５】
図１から図６に示すように、本実施形態に係る携帯電話機１は、縦長状の操作部側筐体２と、縦長状の表示部側筐体３と、を備える。操作部側筐体２と表示部側筐体３とは、スライド機構によりスライド自在に連結されて構成されている。具体的には、図８から図１０に示すように、操作部側筐体２に設けられる一対の摺動部２５、２５が表示部側筐体３に設けられる一対のスリット部３１、３１に係合した状態で摺動することにより、表示部側筐体３が操作部側筐体２の長手方向にスライド可能となる。
【００１６】
そして、このようなスライド機構を設けることにより、携帯電話機１は、図１に示すような表示部側筐体３を操作部側筐体２と重なり合った状態（閉状態）にしたり、図４に示すような表示部側筐体３を操作部側筐体２の長手方向にスライドさせることにより伸長した状態（開状態）にしたりすることができる。
【００１７】
なお、閉状態とは、両筐体の端部が互いに重なるように配置された状態であり、開状態とは、両筐体の端部が互いに重ならないように配置された状態を含む。
【００１８】
ここで、図１１に、携帯電話機１の機能を示す機能ブロック図を示す。図１１に示すように、携帯電話機１は、主操作部（以下、入力操作キーという）１１と、マイク２６と、メインアンテナ４０と、ＲＦ回路部４１と、ＬＣＤ制御部４２と、音声処理部４３と、メモリ４４と、ＣＰＵ（制御部）４５と、電源部（バッテリ）４６と、電源回路部（制御ＩＣ）４７と、が操作部側筐体２に備えられ、ＬＣＤ表示部２１と、スピーカ２２と、ドライバＩＣ２３と、副操作部２４とが表示部側筐体３に備えられている。
【００１９】
メインアンテナ４０は、第１の使用周波数帯（例えば、８００ＭＨｚ）で外部装置と通信を行う。なお、本実施形態においては、第１の使用周波数帯として、８００ＭＨｚの周波数帯を使用したが、これ以外の周波数帯であってもよい。また、メインアンテナ４０は、第１の使用周波数帯の他に、他の使用周波数帯（例えば、２ＧＨｚ）に対応できる、いわゆるデュアルバンド対応型による構成であってもよい。
【００２０】
ＲＦ回路部４１は、メインアンテナ４０によって受信した信号を復調処理し、処理後の信号をＣＰＵ４５に供給する。そして、ＣＰＵ４５から供給された信号を変調処理し、メインアンテナ４０を介して外部装置（基地局）に送信する。
【００２１】
ＬＣＤ制御部４２は、ＣＰＵ４５の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１に出力する。
【００２２】
音声処理部４３は、ＣＰＵ４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２３】
また、音声処理部４３は、ＣＰＵ４５の制御にしたがって、マイク２６から入力された信号を処理し、処理後の信号をＲＦ回路部４１に出力する。そして、ＲＦ回路部４１は、音声処理部４３から供給された信号に所定の処理を行い、処理後の信号をメインアンテナ４０に出力する。
【００２４】
次に、携帯電話機１の形状に係る基本構造について説明する。携帯電話機１は、操作部側筐体２と表示部側筐体３とが別体に構成されており、互いにスライド可能に連結されている。また、操作部側筐体２と表示部側筐体３とは、それぞれの内部に配置される回路基板５１、５３に実装される電子回路（図示せず）同士が配線部材としての中継ケーブル２００により接続されている。以下、具体的に説明する。
【００２５】
操作部側筐体２は、外面がフロントケース２ａとリアケース２ｂとにより構成される。操作部側筐体２のフロントケース２ａ側には、主操作部である電話番号の数字やメール等の文字等を入力するための入力操作キー１１と、携帯電話機１の使用者が通話時に発した音声が入力されるマイク２６と、がそれぞれ露出するように構成される。
【００２６】
なお、入力操作キー１１及びマイク２６は、図４に示すように、表示部側筐体３を長手方向にスライドさせ、開状態とした場合に露出可能になるように形成される。つまり、入力操作キー１１及びマイク２６は、図１に示すような閉状態においては、表示部側筐体３に覆われて露出されず、開状態においてのみ露出されるように構成される。
【００２７】
また、マイク２６は、操作部側筐体２の長手方向におけるスライド機構が設けられる側とは反対側の外端部に配置される。つまり、マイク２６は、携帯電話機１が開状態において一方の端部側に配置される。
【００２８】
操作部側筐体２の一方側の側面には、外部機器（例えば、ホスト装置）と通信を行うためのインターフェース（図示せず）が配置されており、インターフェースは、図２に示すように、キャップ２７により覆われている。また、操作部側筐体２の他方側の側面には、所定の機能が割り当てられているサイドキー（図示せず）と、外部メモリの挿入及び取り出しが行われるキャップに覆われたインターフェース（図示せず）とが配置されている。
【００２９】
操作部側筐体２のフロントケース２ａには、図９に示すように、操作部側筐体２の幅方向（図９における左右方向）における両側において、表示部側筐体３がスライドする方向（操作部側筐体２の長手方向）に伸びる一対の摺動部２５、２５が設けられている。摺動部２５、２５は、操作部側筐体２の長手方向（図９における上下方向）において、入力操作キー１１が配置される側と反対側に設けられる。つまり、摺動部２５、２５は、開状態においても表示部側筐体３と連結されて表示部側筐体３により覆われるため露出されない構成となる。
【００３０】
また、摺動部２５、２５は、図８に示すように、フランジ部２５ａと胴部２５ｂとから構成され、断面が略Ｔ字状に形成されている。なお、摺動部２５、２５は、側方からの水の侵入を防ぐ機能や、操作部側筐体２と表示部側筐体３とが互いに対向する面を隔てる僅かな隙間を保つためのスペーサとしての機能も有する。
【００３１】
摺動部２５と摺動部２５の間には、後述の中継ケーブル２００が収納される矩形状の開口を備えた収納部１００が形成される。収納部１００は、図９に示すように、操作部側筐体２のフロントケース２ａにおいて凹状に形成されたものであり、フロントケース２ａの幅方向において互いに対向するように形成される側壁１０１、１０２と、長手方向において互いに対向するように形成される側壁１０３、１０４と、側壁１０１、１０２、１０３、１０４のそれぞれと直交するように形成される底面１０５と、から構成される。なお、収納部１００は、図３及び図６に示すように、操作部側筐体２と表示部側筐体３とが連結されると、開口が表示部側筐体３により塞がれ、略箱形となる。
【００３２】
側壁１０４には、側壁１０２側における端部に中継ケーブル２００を操作部側筐体２の内部に貫通させると共に、中継ケーブル２００をフロントケース２ａで保持する第１保持孔１０６が形成される。第１保持孔１０６は、中継ケーブル２００の直径よりも僅かに小さい直径を有するように略円形に形成される。
【００３３】
このように、中継ケーブル２００を保持する第１保持孔１０６を側壁１０４に配設することにより、中継ケーブル２００は、操作部筐体２に収納部１００の平面方向（底面１０５と略平行な平面方向であって、両筐体のスライド方向を含む平面と平行な方向）に沿うように保持されることとなる。
【００３４】
ここで、携帯電話機１に用いられる中継ケーブル２００について説明する。図３及び図６に示すように、中継ケーブル２００は、操作部側筐体２の内部に収納されて、電源回路などの図示しない電子回路や電子部品が実装されている回路基板５１に実装される接続コネクタ５２と、表示部側筐体３の内部に収納されて各種電子回路や電子部品が実装されるとともに、液晶ディスプレイやスピーカなどの電装部品が接続されている回路基板５３に実装される接続コネクタ５４とを電気的に接続するために用いられる。つまり、中継ケーブル２００は、表示部側筐体３の回路基板５３と操作部側筐体２の回路基板５１とを電気的に接続している。
【００３５】
そして、中継ケーブル２００は、図１２に示すように、複数の同軸ケーブル２０１を束ね合わせ、この束ね合わせた同軸ケーブル２０１の集合体の胴周域を弾性変形可能な低圧成形樹脂２０３により一体化するように成形し、一の中継ケーブル２００として形成したものである。同軸ケーブル２０１をこのように成形することにより、中継ケーブル２００は、ＦＰＣの代わりに使用することが可能になる。
【００３６】
操作部側筐体２のフロントケース２ａは、第１保持孔１０６を二分する２つの部材から形成されている。そして、中継ケーブル２００は、上述のように、その外周を弾性部材で被覆されるように形成されている。これにより、この中継ケーブル２００を第１保持孔１０６に挿通するように配置させた状態でフロントケース２ａの２つの部材を嵌合させること、フロントケース２ａを構成する２つの部材により低圧成形樹脂２０３が押圧されると共に低圧成形樹脂２０３が弾性変形するため、中継ケーブル２００を保持した状態が形成される（図７参照）。
【００３７】
なお、中継ケーブル２００の保持構造として、フロントケース２ａを２つの部材に二分する構成以外に、中継ケーブル２００が挿通されて中継ケーブル２００を弾性変形した状態で保持する保持部材をフロントケース２ａとは別体に設けて、この保持部材をフロントケース２ａの第１保持孔１０６に対応した位置に装着させる構成としてもよい。
【００３８】
なお、本実施形態においては、第１保持孔１０６は、長手方向における一方側の側壁１０４に形成したが、本発明においてはこれに限らない。例えば、第１保持孔１０６は、収納部１００の底面１０５に形成してもよい。この場合においても、中継ケーブル２００は、収納部１００で上述した平面方向に沿うように保持される構成とするのが好ましい。
【００３９】
また、本実施形態においては、収納部１００を操作部側筐体２に形成したが、本発明にいてはこれに限らない。例えば、収納部１００を表示部側筐体３のリアケース３ｂに操作部側筐体２に対向する側で凹状になるように形成してもよく、例えば、操作部側筐体２のフロントケース２ａ及び表示部側筐体３のリアケース３ｂのそれぞれに凹状部を形成し、それぞれからなる収納部１００を構成してもよい。
【００４０】
表示部側筐体３は、外面がフロントケース３ａとリアケース３ｂとにより構成される。表示部側筐体３におけるフロントケース３ａには、各種情報を表示するためのＬＣＤ表示部２１と、通話の相手側の音声を出力するレシーバとしてのスピーカ２２と、各種操作キーにより構成される副操作部２４と、が露出するように構成される。
【００４１】
表示部２１は、液晶パネルと、この液晶パネルを駆動する駆動回路（図示せず）と、この液晶パネルの背面側から光を照射するバックライト等の光源部（図示せず）とから構成される。また、副操作部２４は、各種設定や電話帳機能やメール機能等の各種機能を作動させるための機能設定操作キー１３と、各種操作における決定や上下左右方向のスクロール等を行う操作部材としての決定操作キー１５と、から構成される。スピーカ２２は、表示部側筐体３の長手方向におけるスライド機構が設けられる側とは反対側の外端部に配置される。つまり、スピーカ２２は、携帯電話機１の開状態においてマイク２６が配置される側と反対側の外端部側に配置される。
【００４２】
表示部側筐体３のリアケース３ｂには、図１０に示すように、表示部側筐体３の幅方向（図１０における左右方向）における両側において、表示部側筐体３のスライド方向（表示部側筐体３の長手方向）に伸びる一対のスリット部３１、３１が設けられている。スリット部３１、３１は、操作部側筐体２における摺動部２５、２５の胴部２５ｂ（図８参照）が摺動する縦長の案内穴であり、胴部２５ｂの幅よりも僅かに広くなるように形成されている（図１０参照）。なお、図１０に示される図では、図１０での上方向の端部側に図１に示されるスピーカ２２が配置されている。
【００４３】
このように、操作部側筐体２と表示部側筐体３とは、操作部側筐体２に形成される摺動部２５、２５のフランジ部２５ａが、表示部側筐体３に形成されるスリット部３１、３１を介してリアケース３ｂと係合することにより、摺動可能に連結される。そして、フランジ部２５ａがリアケース３ｂと係合すると共に、胴部２５ｂがスリット部３１、３１に沿って摺動することにより、表示部側筐体３は、操作部側筐体２とスライド可能になる。
【００４４】
スリット部３１とスリット部３１の間には、図１０に示すように、中継ケーブル２００を表示部側筐体３の内部に貫通させると共に、中継ケーブル２００をリアケース３ｂで保持する第２保持孔１０７が形成される。第２保持孔１０７は、第１保持孔１０６と同様に、中継ケーブル２００の直径よりも僅かに小さい直径を有するように略円形に形成される。そして、表示部側筐体３においても、中継ケーブル２００は、収納部１００で上述した平面方向に沿うように保持される構成とするようにしてもよい。例えば、リアケース３ｂの収納部１００に対向する位置に段差を設けて、縦壁部分に第２保持孔１０７を配設するようにしてもよい。
【００４５】
また、表示部側筐体３のリアケース３ｂは、第２保持孔１０７を二分する２つの部材から形成されており、中継ケーブル２００は、その外周を弾性部材で覆われるように形成されている。これにより、この中継ケーブル２００を第２保持孔１０７に挿通するように配置させた状態でリアケース３ｂの２つの部材を嵌合させることにより、中継ケーブル２００を保持した状態が形成される。
【００４６】
なお、中継ケーブル２００の保持構造としては、リアケース３ｂを２つの部材に二分する構成以外に、上述したように、中継ケーブル２００が挿通されて中継ケーブル２００を弾性変形した状態で保持する保持部材をリアケース３ｂとは別体に設けて、この保持部材をリアケース３ｂの第２保持孔１０７に対応した位置に取り付ける構成としてもよい。
【００４７】
なお、第２保持孔１０７は、表示部側筐体３と操作部側筐体２２とがスライド可能に連結された状態での携帯電話機１の幅方向、即ち、両筐体が相対移動するスライド方向（筐体長手方向）と直交する方向における一方側に設けられる第１保持孔１０６と反対側の他方側の端部に形成される。このように、第１保持孔１０６と第２保持孔１０７とを携帯電話機１の幅方向における両側に形成する（収納部１００における中継ケーブル２００の入口と出口を筐体幅方向でそれぞれ相反する位置に設ける）ことにより、図１に示されるように中継ケーブル２００を収納部１００の中央部近傍で平面方向に撓ませて収納させることが可能になる。これにより、中継ケーブル２００の筐体厚さ方向での撓みを抑制することができ、収納部１００の厚さ（側壁１０１、１０２、１０３、１０４の高さ）を薄くすることができる。
【００４８】
また、同軸ケーブル２０１からなる中継ケーブル２００を用いることにより、例えば、収納部１００に中継ケーブル２００を収納させる場合においても、中継ケーブル２００が円筒形であるため平面方向（筐体の長手方向及び幅方向）に撓ませて配置させることが可能になる。これにより、収納部１００を形成するための厚さを中継ケーブル２００の直径に合わせて構成させることが可能になり、スライド式の携帯電話機１の厚さを薄くすることが可能になる。
【００４９】
また、中継ケーブル２００は、携帯電話機１が開状態であるときに、図４及び図６に示されるように、収納部１００で筐体長手方向（スライド方向）に延びるように配置されて、撓みが少なくなるように、一端側と他端側とが第１保持孔１０６と第２保持孔１０７とで保持される構成となっているため、閉状態における収納部１００内での中継ケーブル２００の撓み量をスライドに必要な量とすることができ、収納部１００をコンパクトに構成でき、筐体の小型化を図ることができる。
【００５０】
また、同軸ケーブル２０１の周囲を弾性変形が可能な低圧成形樹脂等の弾性変形可能な弾性部材で被覆し、この被覆部分において、操作部側筐体２及び表示部側筐体３を構成する部材で挟持などにより保持させることにより、中継ケーブル２００を貫通させるための第１及び第２保持孔１０６、１０７においても高い防水性を発揮させることが可能になり、防水機能を有する携帯電話機１を構成することが可能となる。
【００５１】
また、互換性の高い同軸ケーブル２０１を使用することにより、ＦＰＣよりもシールド性の高い携帯端末を提供できると共に、携帯端末の開発コストや開発期間の短縮を図ることが可能になる。
【００５２】
なお、弾性変形可能な弾性部材としては、例えば、ラバー等が例示できる。また、中継ケーブルは、同軸ケーブル２０１の集合体の胴周域を低圧成形樹脂２０３により一体化したものだけでなく、例えば、同軸ケーブル２０１の集合体を蛇腹状の弾性部材により被覆したものであってもよい。
【図面の簡単な説明】
【００５３】
【図１】本発明に係る携帯電子機器の一例である携帯電話機１の閉状態を示す正面図である。
【図２】図１の側面図である。
【図３】図１のＡ−Ａ断面を示す模式図である。
【図４】本実施形態に係る携帯電話機１の開状態を示す正面図である。
【図５】図４の側面図である。
【図６】図４のＣ−Ｃ断面を示す模式図である。
【図７】操作部側筐体における同軸ケーブルの保持状態を示す部分拡大図である。
【図８】図１のＢ−Ｂ断面を示す模式図である。
【図９】操作部側筐体をフロントケース側から見た背面図である。
【図１０】表示部側筐体をリアケース側から見た背面図である。
【図１１】携帯電話機１の機能を示す機能ブロック図である。
【図１２】配線ケーブルの断面図である。
【符号の説明】
【００５４】
１    携帯電話機
２    操作部側筐体
３    表示部側筐体
１１    入力操作キー
２１    ＬＣＤ表示部
２５    摺動部
３１    スリット部
５１、５３    回路基板
５２、５４    電子回路
１００    収納部
１０６    第１保持孔
１０７    第２保持孔
２００    中継ケーブル
２０１    同軸ケーブル
２０２    低圧成型樹脂
【図１】
0004909827.tif 000002
【図２】
0004909827.tif 000003
【図３】
0004909827.tif 000004
【図４】
0004909827.tif 000005
【図５】
0004909827.tif 000006
【図６】
0004909827.tif 000007
【図７】
0004909827.tif 000008
【図８】
0004909827.tif 000009
【図９】
0004909827.tif 000010
【図１０】
0004909827.tif 000011
【図１１】
0004909827.tif 000012
【図１２】
0004909827.tif 000013